(57)【特許請求の範囲】
【請求項１】
加熱室と、この加熱室内にマイクロ波を照射するマグネトロンと、このマグネトロンに高電圧を供給するインバータ電源とを備えて成る電子レンジにおいて、
前記インバータ電源は、直流電力を高周波交流電力に変換するスイッチング素子と、
前記高周波交流電力を前記マグネトロンを駆動するために必要な高電圧に昇圧する高圧トランスと、
この高圧トランスの２次側の高電圧交流電圧を整流する倍電圧整流回路と、
この倍電圧整流回路の低圧側と電子レンジの筐体との間に設けられ、前記マグネトロンの陽極電流を検出する電流検出手段と、
この電流検出手段による検出値が異常であるときに、前記インバータ電源の動作を停止させるように制御する第１の制御手段とを備えるように構成され、
前記電流検出手段を、複数の素子の並列回路で構成し、更に、
前記電流検出手段の並列回路の２つの導体パターンのうちのいずれか一方が断線したときに、異常であると判断する異常判断手段と、
この異常判断手段により異常であると判断されたときに、前記インバータ電源の動作を停止させるように制御する第２の制御手段とを備えたことを特徴とする電子レンジ。
【請求項２】
加熱室と、この加熱室内にマイクロ波を照射するマグネトロンと、このマグネトロンに高電圧を供給するインバータ電源とを備えて成る電子レンジにおいて、
前記インバータ電源は、スイッチング素子の直列回路とコンデンサの直列回路とを並列接続して成るスイッチング回路と、
前記高周波交流電力を前記マグネトロンを駆動するために必要な高電圧に昇圧する高圧トランスとを備え、
前記スイッチング回路の並列接続点に直流電圧を印加すると共に、前記スイッチング回路の２つの直列回路の各直列接続点に前記高圧トランスの１次巻線を接続するように構成され、更に、
前記高圧トランスの２次巻線に接続された倍電圧整流回路と、
この倍電圧整流回路の低圧側と電子レンジの筐体との間に設けられ、前記マグネトロンの陽極電流を検出する電流検出手段と、
この電流検出手段による検出値が異常であるときに、前記インバータ電源の動作を停止させるように制御する第１の制御手段とを備えるように構成され、
前記電流検出手段を、複数の素子の並列回路で構成し、更に、
前記電流検出手段の並列回路の２つの導体パターンのうちのいずれか一方が断線したときに、異常であると判断する異常判断手段と、
この異常判断手段により異常であると判断されたときに、前記インバータ電源の動作を停止させるように制御する第２の制御手段とを備えたことを特徴とする電子レンジ。
【請求項３】
前記電流検出手段の複数の素子は、抵抗器であることを特徴とする請求項１または２記載の電子レンジ。
【請求項４】
前記電流検出手段の複数の素子は、基板上における少なくとも２か所以上のブロックに分けて配置されていることを特徴とする請求項１ないし３のいずれかに記載の電子レンジ。
【請求項５】
加熱室と、この加熱室内にマイクロ波を照射するマグネトロンと、このマグネトロンに高電圧を供給するインバータ電源とを備えて成る電子レンジにおいて、
前記インバータ電源は、直流電力を高周波交流電力に変換するスイッチング素子と、
前記高周波交流電力を前記マグネトロンを駆動するために必要な高電圧に昇圧する高圧トランスと、
この高圧トランスの２次側の高電圧交流電圧を整流する倍電圧整流回路とを備えるように構成され、更に、
前記倍電圧整流回路の低圧側に、電子レンジの筐体に接地するための接地部を設けると共に、
電子レンジの制御部から前記インバータ電源の動作を制御するための信号を伝送する信号ラインの片側を、前記接地部を介して前記筐体を流れる線路とし、
前記接地部が前記筐体から外れたときに、前記インバータ電源の制御用の信号が遮断されるように構成されていることを特徴とする電子レンジ。
【請求項６】
加熱室と、この加熱室内にマイクロ波を照射するマグネトロンと、このマグネトロンに高電圧を供給するインバータ電源とを備えて成る電子レンジにおいて、
前記インバータ電源は、スイッチング素子の直列回路とコンデンサの直列回路とを並列接続して成るスイッチング回路と、
前記高周波交流電力を前記マグネトロンを駆動するために必要な高電圧に昇圧する高圧トランスとを備え、
前記スイッチング回路の並列接続点に直流電圧を印加すると共に、前記スイッチング回路の２つの直列回路の各直列接続点に前記高圧トランスの１次巻線を接続するように構成され、更に、
前記高圧トランスの２次巻線に接続された倍電圧整流回路とを備えるように構成され、更に、
前記倍電圧整流回路の低圧側に、電子レンジの筐体に接地するための接地部を設けると共に、
電子レンジの制御部から前記インバータ電源の動作を制御するための信号を伝送する信号ラインの片側を、前記接地部を介して前記筐体を流れる線路とし、
前記接地部が前記筐体から外れたときに、前記インバータ電源の制御用の信号が遮断されるように構成されていることを特徴とする電子レンジ。
【請求項７】
前記マグネトロンの陽極電流検出信号を前記電子レンジの制御部へ伝送する信号線と、前記電子レンジの制御部から前記インバータ電源の動作を制御するための信号を伝送する信号線とを、同一のコネクタに接続されたワイヤーハーネスで構成したことを特徴とする請求項１ないし６のいずれかに記載の電子レンジ。
【請求項８】
前記倍電圧整流回路の低圧側に、電子レンジの筐体に接地するための接地部を設けると共に、
電子レンジの制御部から前記インバータ電源の動作を制御するための信号を伝送する信号ラインの片側を、前記接地部を介して前記筐体を流れる線路とし、
前記接地部が前記筐体から外れたときに、前記インバータ電源の制御用の信号が遮断されるように構成されていることを特徴とする請求項１ないし４のいずれかに記載の電子レンジ。
【発明の詳細な説明】
【０００１】
【発明の属する技術分野】
本発明は、加熱室内にマイクロ波を照射するマグネトロンと、このマグネトロンに高電圧を供給するインバータ電源とを備えて成る電子レンジに関する。
【０００２】
【従来の技術】
この種の電子レンジの電気的構成の一例を、図４に示す。図４において、インバータ電源回路１は、商用交流電源２を入力してマグネトロン３に高電圧を供給する回路である。このインバータ電源回路１は、整流器４と、チョークコイル５と、平滑コンデンサ６と、スイッチング素子７と、共振コンデンサ８と、高圧トランス９と、倍電圧整流回路１０と、スイッチング素子７をオンオフ制御するインバータ制御回路１１とから構成されている。そして、インバータ電源回路１は、１点鎖線で示すプリント配線基板Ａに実装されている。
【０００３】
ここで、倍電圧整流回路１０は、高圧ダイオード１２と高圧コンデンサ１３からなる直列回路で構成されており、この直列回路は高圧トランス９の二次巻線９ｂの両端に接続されている。また、高圧ダイオード１２と高圧トランス９の二次巻線９ｂの一端との共通接続点Ｂが、プリント配線基板Ａに設けられた接地部１４を介して電子レンジの筐体に接地されている。そして、マグネトロン３の陽極は電子レンジの筐体に接地されている。これにより、倍電圧整流回路１０の共通接続点Ｂが電子レンジの筐体を介してマグネトロン３の陽極に接続される構成となっている。
【０００４】
更に、マグネトロン３の陰極を構成するヒータの両端は、高圧トランス９の二次巻線９ｃの両端に接続されている。また、高圧ダイオード１２と高圧コンデンサ１３の中間接続点と、高圧トランス９の二次巻線９ｃの一端との間に、高圧ダイオード１５が接続されている。
【０００５】
一方、高圧ダイオード１２のカソードと上記共通接続点Ｂとの間の通電路に、例えばカレントトランスからなる電流検出手段１６が設けられており、この電流検出手段１６によりマグネトロン３の陽極電流を検出するように構成されている。上記電流検出手段１６により検出された検出信号は、導体パターン１７ａ、１７ｂ及び陽極電流検出信号線１８ａ、１８ｂを通って、電子レンジのパネル部に設けられた制御回路１９へ与えられるように構成されている。
【０００６】
また、電子レンジのパネル部の制御回路１９は、インバータ電源回路１を制御する信号を、インバータ制御信号線２０ａ、２０ｂ及び導体パターン２１ａ、２１ｂを通してインバータ制御回路１１へ与えるように構成されている。尚、陽極電流検出信号線１８ａ、１８ｂとインバータ制御信号線２０ａ、２０ｂは、ワイヤーハーネス２１で構成されている。このワイヤーハーネス２１の両端は、インバータ電源回路１のプリント配線基板Ａに設けられたコネクタ２２と、電子レンジのパネル部の制御回路１９が実装されたプリント配線基板Ｃに設けられたコネクタ２３とに接続されている。
【０００７】
【発明が解決しようとする課題】
さて、上記構成の場合、インバータ電源回路１のプリント配線基板Ａにおいて、高圧ダイオード１２と高圧トランス９の二次巻線９ｂの一端との共通接続点Ｂ（即ち、倍電圧整流回路１０の一方（低圧側）の出力端子）と、接地部１４とを接続する導体パターン２４の長さ寸法が、かなり長くなるという事情がある。これは、プリント配線基板Ａに実装する各種の電気部品の配置上の問題から生ずる。そして、上記導体パターン２４が長いと、何らかの原因（例えば基板が割れたり、基板にクラックが発生したりすること）で導体パターン２４が断線する可能性が高くなる。この場合、導体パターン２４の断線部分に高電圧が印加されるため、この断線部分でスパークが発生するおそれがあった。
【０００８】
また、プリント配線基板Ａの接地部１４を電子レンジの筐体に接地するに当たっては、プリント配線基板Ａの接地部１４に形成されたねじ挿通孔に基板取付用のねじを挿通すると共に、このねじを電子レンジの筐体に締め付け固定するように構成されていた。この構成の場合、上記ねじが緩んだり、外れたりして接地部１４が筐体から外れて接地が不完全になると、その部分に高電圧が印加されるため、その部分でスパークが発生するおそれがあった。
【０００９】
そこで、本発明の目的は、倍電圧整流回路の一方の出力端子と接地部とを接続する導体パターンが断線することがあっても、断線部分でスパークが発生することを確実に防止できる電子レンジを提供するにある。また、本発明の他の目的は、インバータ電源のプリント配線基板の接地部を電子レンジの筐体にねじ止めにより接地する構成において、接地部が外れることがあっても、その接地部でスパークが発生することを確実に防止できる電子レンジを提供するにある。
【００１０】
【課題を解決するための手段】
本発明の電子レンジは、加熱室と、この加熱室内にマイクロ波を照射するマグネトロンと、このマグネトロンに高電圧を供給するインバータ電源とを備えて成る電子レンジにおいて、前記インバータ電源は、直流電力を高周波交流電力に変換するスイッチング素子と、前記高周波交流電力を前記マグネトロンを駆動するために必要な高電圧に昇圧する高圧トランスと、この高圧トランスの２次側の高電圧交流電圧を整流する倍電圧整流回路と、この倍電圧整流回路の低圧側と電子レンジの筐体との間に設けられ、前記マグネトロンの陽極電流を検出する電流検出手段と、この電流検出手段による検出値が異常であるときに、前記インバータ電源の動作を停止させるように制御する第１の制御手段とを備えるように構成され、前記電流検出手段を、複数の素子の並列回路で構成し、更に、前記電流検出手段の並列回路の２つの導体パターンのうちのいずれか一方が断線したときに、異常であると判断する異常判断手段と、この異常判断手段により異常であると判断されたときに、前記インバータ電源の動作を停止させるように制御する第２の制御手段とを備えたところに特徴を有する。
【００１１】
上記構成によれば、電流検出手段の並列回路の２つの導体パターンが、倍電圧整流回路の一方の出力端子と接地部とを接続する導体パターンを構成することになる。このため、上記２つの導体パターンのいずれかが断線した場合、異常判断手段により異常であると判断されると共に、第２の制御手段によりインバータ電源の動作が停止される。従って、導体パターンの断線部分でスパークが発生することを確実に防止できる。
【００１２】
本発明の他の電子レンジは、加熱室と、この加熱室内にマイクロ波を照射するマグネトロンと、このマグネトロンに高電圧を供給するインバータ電源とを備えて成る電子レンジにおいて、前記インバータ電源は、スイッチング素子の直列回路とコンデンサの直列回路とを並列接続して成るスイッチング回路と、前記高周波交流電力を前記マグネトロンを駆動するために必要な高電圧に昇圧する高圧トランスとを備え、前記スイッチング回路の並列接続点に直流電圧を印加すると共に、前記スイッチング回路の２つの直列回路の各直列接続点に前記高圧トランスの１次巻線を接続するように構成され、更に、前記高圧トランスの２次巻線に接続された倍電圧整流回路と、この倍電圧整流回路の低圧側と電子レンジの筐体との間に設けられ、前記マグネトロンの陽極電流を検出する電流検出手段と、この電流検出手段による検出値が異常であるときに、前記インバータ電源の動作を停止させるように制御する第１の制御手段とを備えるように構成され、前記電流検出手段を、複数の素子の並列回路で構成し、更に、前記電流検出手段の並列回路の２つの導体パターンのうちのいずれか一方が断線したときに、異常であると判断する異常判断手段と、この異常判断手段により異常であると判断されたときに、前記インバータ電源の動作を停止させるように制御する第２の制御手段とを備えたものである。この構成の場合も、上述した電子レンジとほぼ同じ作用効果を得ることができる。
【００１３】
また、上記各構成の場合、前記電流検出手段の複数の素子を抵抗器で構成することが好ましい。更に、前記電流検出手段の複数の素子を、基板上における少なくとも２か所以上のブロックに分けて配置するように構成することがより一層好ましい。
【００１４】
一方、本発明の他の電子レンジは、加熱室と、この加熱室内にマイクロ波を照射するマグネトロンと、このマグネトロンに高電圧を供給するインバータ電源とを備えて成る電子レンジにおいて、前記インバータ電源は、直流電力を高周波交流電力に変換するスイッチング素子と、前記高周波交流電力を前記マグネトロンを駆動するために必要な高電圧に昇圧する高圧トランスと、この高圧トランスの２次側の高電圧交流電圧を整流する倍電圧整流回路とを備えるように構成され、更に、前記倍電圧整流回路の低圧側に、電子レンジの筐体に接地するための接地部を設けると共に、電子レンジの制御部から前記インバータ電源の動作を制御するための信号を伝送する信号ラインの片側を、前記接地部を介して前記筐体を流れる線路とし、前記接地部が前記筐体から外れたときに、前記インバータ電源の制御用の信号が遮断されるように構成されている。
【００１５】
この構成の電子レンジの場合、接地部を電子レンジの筐体にねじ止めにより接地した後、接地部が筐体から外れたりして接地が不完全になった場合、インバータ電源の制御用の信号が遮断されるため、不完全な接地部分に高電圧が印加されることがなくなり、従って、スパークが発生することを確実に防止できる。
【００１６】
また、本発明の他の電子レンジは、加熱室と、この加熱室内にマイクロ波を照射するマグネトロンと、このマグネトロンに高電圧を供給するインバータ電源とを備えて成る電子レンジにおいて、前記インバータ電源は、スイッチング素子の直列回路とコンデンサの直列回路とを並列接続して成るスイッチング回路と、前記高周波交流電力を前記マグネトロンを駆動するために必要な高電圧に昇圧する高圧トランスとを備え、前記スイッチング回路の並列接続点に直流電圧を印加すると共に、前記スイッチング回路の２つの直列回路の各直列接続点に前記高圧トランスの１次巻線を接続するように構成され、更に、前記高圧トランスの２次巻線に接続された倍電圧整流回路とを備えるように構成され、更に、前記倍電圧整流回路の低圧側に、電子レンジの筐体に接地するための接地部を設けると共に、電子レンジの制御部から前記インバータ電源の動作を制御するための信号を伝送する信号ラインの片側を、前記接地部を介して前記筐体を流れる線路とし、前記接地部が前記筐体から外れたときに、前記インバータ電源の制御用の信号が遮断されるように構成されている。この構成の場合も、接地部が筐体から外れたりして接地が不完全になった場合に、接地部でスパークが発生することを確実に防止できる。
【００１７】
更に、マグネトロンの陽極電流検出信号を電子レンジの制御部へ伝送する信号線と、前記電子レンジの制御部からインバータ電源の動作を制御するための信号を伝送する信号線とを、同一のコネクタに接続されたワイヤーハーネスで構成することが好ましい構成である。
【００１８】
【発明の実施の形態】
以下、本発明の第１の実施例について、図１を参照しながら説明する。図１は、第１の実施例の電子レンジの電気的構成を示す図である。上記第１の実施例の電子レンジは、いわゆる準Ｅ級型のインバータ（インバータ電源）を備えた電子レンジである。
【００１９】
図１に示すように、インバータ電源を構成するインバータ電源回路１０１は、商用交流電源１０２を入力して、マイクロ波発振管であるマグネトロン１０３に高電圧を供給する回路である。マグネトロン１０３は、マイクロ波を発生して、該マイクロ波を導波管（図示しない）を通して加熱室（図示しない）内に照射する機能を有している。加熱室内には、調理物が収容されている。
【００２０】
上記インバータ電源回路１０１は、整流器１０４、チョークコイル１０５、平滑コンデンサ１０６、スイッチング素子１０７、共振コンデンサ１０８、高圧トランス１０９、倍電圧整流回路１１０、インバータ制御回路１１１等を備えている。そして、インバータ電源回路１０１は、１点鎖線で示すプリント配線基板  （インバータ電源基板）１１２に実装されている。
【００２１】
また、整流器１０４の入力端子１０４ａ、１０４ｂは、商用交流電源１０２に接続されている。整流器１０４の正側の出力端子１０４ｃと負側の出力端子１０４ｄの間に、チョークコイル１０５及び平滑コンデンサ１０６が直列に接続されている。そして、共振コンデンサ１０８と高圧トランス１０９の一次巻線１０９ａとが並列に接続されており、この並列回路とスイッチング素子１０７とが直列に接続され、この直列回路が上記平滑コンデンサ１０６の両端子に接続されている。また、スイッチング素子１０７は、例えばＩＧＢＴ等の逆導通型の半導体素子により構成されている。このスイッチング素子１０７は、インバータ制御回路１１１によりオンオフ制御されるように構成されている。
【００２２】
さて、倍電圧整流回路１１０は、高圧ダイオード１１３と高圧コンデンサ１１４を直列に接続して構成されており、この直列回路を高圧トランス１０９の二次巻線１０９ｂの両端に接続している。この場合、倍電圧整流回路１１０は、半波倍電圧整流回路である。また、マグネトロン１０３の陰極を構成するヒータの両端は、高圧トランス１０９の二次巻線１０９ｃの両端に接続されている。更に、高圧ダイオード１１３と高圧コンデンサ１１４の中間接続点と、高圧トランス１０９の二次巻線１０９ｃの一端との間に、高圧ダイオード１１５が接続されている。これにより、倍電圧整流回路１１０の負電圧の高圧側は、マグネトロン１０３の陰極に接続されている。
【００２３】
これに対して、倍電圧整流回路１１０の低圧側は、電子レンジの筐体（例えば金属製の筐体）を介してマグネトロン１０３の陽極に接続されている。具体的には、高圧ダイオード１１３と高圧トランス１０９の二次巻線１０９ｂの一端との共通接続点を、電流検出手段である例えば陽極電流検出回路１１６の一端に接続している。そして、この陽極電流検出回路１１６の他端をプリント配線基板１１２に設けられた接地部１１７を介して電子レンジの筐体に接地している。更に、マグネトロン１０３の陽極を、電子レンジの筐体に接地している。これにより、倍電圧整流回路１１０の低圧側の出力端子が、電子レンジの筐体を介してマグネトロン１０３の陽極に接続される構成となっている。
【００２４】
ここで、上記陽極電流検出回路１１６は、２個以上である例えば４個の抵抗器１１８ａ、１１８ｂ、１１８ｃ、１１８ｄを並列接続した並列回路で構成されている。この並列回路は、４個の抵抗器１１８ａ、１１８ｂ、１１８ｃ、１１８ｄを並列接続する２本の導体パターン１１９ａ、１１９ｂを備えている。これら２本の導体パターン１１９ａ、１１９ｂは、その長さ寸法がかなり長くなるように、且つ、ほぼ平行にプリント配線基板１１２上に設けられている。
【００２５】
また、２個の抵抗器１１８ａ、１１８ｂは２本の導体パターン１１９ａ、１１９ｂの一端側に配置され、２個の抵抗器１１８ｃ、１１８ｄは２本の導体パターン１１９ａ、１１９ｂの他端側に配置されている。これにより、陽極電流検出回路１１６の４個の素子（抵抗器）は、プリント配線基板１１２上における例えば２か所のブロックに分けて配置される構成となっている。
【００２６】
更に、上記構成の場合、一方の導体パターン１１９ａの抵抗器１１８ａ側の一端が、高圧ダイオード１１３と高圧トランス１０９の二次巻線１０９ｂの一端との共通接続点に接続され、他方の導体パターン１１９ｂの抵抗器１１８ｄ側の一端が接地部１１７に接続されている。ここで、接地部１１７は、プリント配線基板１１２に設けられた所定形状（例えば複数の棒状）の導体パターンで構成されており、その中心部には取付け用のねじ（図示しない）を挿通させる貫通孔（図示しない）が形成されている。
【００２７】
そして、上記取付け用のねじを接地部１１７の貫通孔に挿通させた後、電子レンジの筐体（または電子レンジの筐体に連結された取付け用の金属板）に設けられたねじ孔（図示しない）に締め付け固定するように構成されている。これにより、接地部１１７が電子レンジの筐体に接地（接続）されると共に、プリント配線基板１１２が電子レンジの筐体に取付け固定される構成となっている。
【００２８】
また、一方の導体パターン１１９ａの抵抗器１１８ｄ側の一端は、導体パターン１２０及び陽極電流検出信号線１２１を介して電子レンジのパネル部（図示しない）に設けられた制御回路１２２に接続されている。上記陽極電流検出回路１１６においては、接地側と反対側の導体パターン１１９ａに、マグネトロン１０３の陽極電流の大きさに対応するレベルの電圧が発生するようになっている。そして、この電圧、即ち、陽極電流検出信号は、上記導体パターン１２０及び陽極電流検出信号線１２１と、電子レンジの筐体とを介して、電子レンジのパネル部の制御回路１２２へ与えられるように構成されている。
【００２９】
一方、電子レンジのパネル部の制御回路１２２は、マイクロコンピュータ等から構成されており、電子レンジの運転全般を制御する機能を有している。そして、上記制御回路１２２は、インバータ電源回路１０１を制御する制御信号を、インバータ制御信号線１２３ａ、１２３ｂ及び導体パターン１２４ａ、１２４ｂを通してインバータ制御回路１１１へ与えるように構成されている。また、陽極電流検出信号線１２１とインバータ制御信号線１２３ａ、１２３ｂとは、ワイヤーハーネス１２５で構成されている。
【００３０】
このワイヤーハーネス１２５の両端は、インバータ電源回路１０１のプリント配線基板１１２に設けられたコネクタ１２６と、電子レンジのパネル部の制御回路１２２が実装されたプリント配線基板１２７に設けられたコネクタ１２８とに接続される構成となっている。
【００３１】
尚、図１の電気回路図には、インバータ電源回路１０１を主として、その周辺の回路を図示しているだけであり、電子レンジのそれ以外構成（例えば各種のセンサ、冷却ファン装置、ＲＴモータ、庫内灯、ドアスイッチ、各種の操作スイッチ、表示器等）については、図示することを省略している。
【００３２】
次に、上記構成の作用、特には、陽極電流検出回路１１６の２本の導体パターン１１９ａ、１１９ｂのうちの一方が断線する異常が発生したときの動作について説明する。まず、２本の導体パターン１１９ａ、１１９ｂが正常な場合に、マグネトロン１０３が発振駆動されると、マグネトロン１０３の陽極電流の大きさに応じたレベルの電圧が陽極電流検出回路１１６の導体パターン１１９ａに発生し、この電圧、即ち、陽極電流検出信号が、上記導体パターン１２０及び陽極電流検出信号線１２１と電子レンジの筐体とを介して電子レンジのパネル部の制御回路１２２へ送られるようになっている。そして、パネル部の制御回路１２２は、上記陽極電流検出信号を受けて、マグネトロン１０３の出力を制御するように構成されている。この場合、上記陽極電流検出信号の検出値が異常であるときには、マグネトロン１０３の動作を停止するように制御したり、マグネトロン１０３の出力が設定出力となるように制御したりするように構成されている。
【００３３】
さて、陽極電流検出回路１１６の２本の導体パターン１１９ａ、１１９ｂのうちのいずれか一方が断線した場合には、陽極電流検出回路１１６の抵抗値が増大する。このため、マグネトロン１０３の陽極電流による電圧降下が大きくなることから、パネル部の制御回路１２２に入力される陽極電流検出信号（検出電圧）のレベルが大きくなる。これを検知することにより、パネル部の制御回路１２２は、陽極電流検出回路１１６の２本の導体パターン１１９ａ、１１９ｂのいずれかに異常（この場合、断線）が発生したと判断すると共に、インバータ電源回路１０１の動作を停止させるように構成されている。この構成の場合、パネル部の制御回路１２２が、第１の制御手段、異常判断手段及び第２の制御手段としての各機能を実現するように構成されている。
【００３４】
このような構成の本実施例によれば、陽極電流検出回路１１６の並列回路の２つの導体パターン１１９ａ、１１９ｂが、倍電圧整流回路１１０の一方の出力端子と接地部１１７とを接続する導体パターンを構成することになる。このため、上記２つの導体パターン１１９ａ、１１９ｂのいずれかが断線した場合、陽極電流検出回路１１６の抵抗値が増大し、マグネトロン１０３の陽極電流による電圧降下が大きくなることから、パネル部の制御回路１２２に入力される陽極電流検出信号（検出電圧）のレベルが大きくなる。この結果、パネル部の制御回路１２２により、異常であると判断されると共に、インバータ電源回路１０１の動作が停止される。従って、従来構成（図４参照）とは異なり、導体パターン１１９ａ、１１９ｂの断線部分でスパークが発生することを確実に防止できる。この結果、上記スパークに起因する焼損や感電等を確実に防止することができる。
【００３５】
また、上記実施例では、陽極電流検出回路１１６を４個の抵抗器１１８ａ〜１１８ｄの並列回路で構成したので、カレントトランスを用いる構成に比べて、陽極電流検出回路の製造コストを安くすることができる。更に、上記実施例では、陽極電流検出信号を、ワイヤーハーネス１２５の陽極電流検出信号線１２１と電子レンジの筐体とを介して、電子レンジのパネル部の制御回路１２２へ送るように構成したので、ワイヤーハーネス１２５を構成する信号線の本数を、従来構成（図４参照）に比べて少なくすることができ、その分だけ製造コストを低減できる。
【００３６】
尚、上記実施例では、陽極電流検出回路１６を４個の抵抗器１１８ａ〜１１８ｄの並列回路で構成したが、これに限られるものではなく、２個、３個、または５個以上の抵抗器の並列回路で構成しても良い。また、上記実施例では、陽極電流検出回路１１６の抵抗器１１８ａ〜１１８ｄ（素子）を、プリント配線基板１１２上において例えば２か所のブロックに分けて配置するように構成したが、これに限られるものではなく、３か所以上のブロックに分けて配置するように構成しても良い。
【００３７】
図２は本発明の第２の実施例を示すものであり、第１の実施例と異なるところを説明する。尚、第１の実施例と同一部分には、同一符号を付している。この第２の実施例では、１個のスイッチング素子１０７の代わりに２個のスイッチング素子１２９、１３０を直列接続した回路を備えると共に、半波倍電圧整流回路１１０の代わりに全波倍電圧整流回路１３１を備える構成とした。
【００３８】
具体的には、図２に示すように、スイッチング素子１２９、１３０の直列回路と、共振コンデンサ１３２、１３３の直列回路とを並列接続してスイッチング回路１３４を構成している。そして、このスイッチング回路１３４の並列接続点１３４ａ、１３４ｂに平滑コンデンサ１０６の両端子を接続することにより、上記並列接続点１３４ａ、１３４ｂに直流電圧を印加している。これと共に、スイッチング回路１３４の２つの直列回路の各直列接続点１３４ｃ、１３４ｄに高圧トランス１０９の１次巻線１０９ａの両端子を接続している。
【００３９】
また、全波倍電圧整流回路１３１は、直列接続された２個の高圧ダイオード１３５、１３６と、直列接続された２個の高圧コンデンサ１３７、１３８とを並列接続して構成されている。そして、高圧ダイオード１３５、１３６の直列接続点１３１ａと、高圧コンデンサ１３７、１３８の直列接続点１３１ｂとに、高圧トランス１０９の２次巻線１０９ｂの両端を接続している。
【００４０】
更に、全波倍電圧整流回路１３１の図２中上側の並列接続点１３１ｃ（即ち、高圧ダイオード１３５と高圧コンデンサ１３７の中間接続点）を、陽極電流検出回路１１６の一方の導体パターン１１９ａの抵抗器１１８ａ側の一端に接続している。また、全波倍電圧整流回路１３１の図２中下側の並列接続点１３１ｄ（即ち、高圧ダイオード１３６の図２中下端及び高圧コンデンサ１３８の図２中下端）を、マグネトロン１０３の陰極（高圧トランス１０９の２次巻線１０９ｃの一端）に接続している。尚、上述した以外の第２の実施例の構成は、第１の実施例の構成と同じ構成となっている。
【００４１】
従って、第２の実施例においても、第１の実施例とほぼ同じ作用効果を得ることができる。特に、上記した構成の第２の実施例によれば、いわゆるハーフブリッジ型のインバータ（インバータ電源回路）を用いたので、高圧トランス１０９の一次巻線１０９ａに直流電流の重畳がなくなることから、高圧トランス１０９を小形化することができる。
【００４２】
図３は本発明の第３の実施例を示すものであり、第１の実施例と異なるところを説明する。尚、第１の実施例と同一部分には、同一符号を付している。この第３の実施例では、電子レンジのパネル部の制御回路（制御部）１２２からインバータ電源回路１０１の動作を制御するための信号を伝送する信号ラインの片側を、接地部１１７を介して電子レンジの筐体を流れる線路とするように構成した。
【００４３】
具体的には、電子レンジのパネル部の制御回路１２２内には、マイクロコンピュータ１３９と、このマイクロコンピュータ１３９によりオンオフ制御される例えばＰＮＰ型トランジスタ１４０とが設けられている。また、インバータ制御回路１１１内には例えばフォトカプラ１４１が設けられており、このフォトカプラ１４１は、上記パネル部の制御回路１２２から送られる制御信号を、インバータ電源回路１０１のプリント配線基板（インバータ電源基板）１１２内の回路と絶縁を取りながら伝達する素子である。
【００４４】
そして、上記構成の場合、フォトカプラ１４１の発光ダイオード１４１ａのアノードは、プリント配線基板１１２に設けられた導体パターン１４２、インバータ制御信号線１４３、及び、プリント配線基板１２７に設けられた導体パターン１４４を介してトランジスタ１４０のコレクタに接続されている。更に、フォトカプラ１４１の発光ダイオード１４１ａのカソードは、プリント配線基板１１２に設けられた導体パターン１４５を介して接地部１１７に接続されている。更にまた、上記パネル部の制御回路１２２においても、そのグランドが接地線１４６を介して電子レンジの筐体に接地（接続）されている。
【００４５】
上記構成の場合、パネル部の制御回路１２２のマイクロコンピュータ１３９から制御信号がトランジスタ１４０に出力されると、その制御信号に基づいてトランジスタ１４０がオンオフされる。ここで、トランジスタ１４０がオンされたときには、導体パターン１４２、インバータ制御信号線１４３及び導体パターン１４４を通して、フォトカプラ１４１（の発光ダイオード１４１ａ）に電流が流れ、更に、この電流は、導体パターン１４５及び接地部１１７を通して電子レンジの筐体に流れ、接地線１４６（及びグランド）を通してパネル部の制御回路１２２のトランジスタ１４０にリターンするように構成されている。
【００４６】
これにより、パネル部の制御回路１２２のマイクロコンピュータ１３９から出力された制御信号は、インバータ制御回路１１１のフォトカプラ１４１に伝達され、上記制御信号に基づいてスイッチ素子１０７がオンオフ制御されるように構成されている。この構成の場合、インバータ制御信号を伝達する信号ラインは、１本のインバータ制御信号線１４３と、接地部１１７を介して電子レンジの筐体を流れる線路とから構成されている。即ち、インバータ制御信号を伝送する信号ラインの片側は、接地部１１７を介して筐体を流れる線路となっている。
【００４７】
また、上記構成の場合、インバータ制御信号線１４３と陽極電流検出信号線１２１とからワイヤーハーネス１４７が構成されている。そして、このワイヤーハーネス１４７の両端は、インバータ電源回路１０１のプリント配線基板１１２に設けられたコネクタ１４８と、電子レンジのパネル部の制御回路１２２のプリント配線基板１２７に設けられたコネクタ１４９とに接続される構成となっている。尚、上述した以外の第３の実施例の構成は、第１の実施例の構成と同じ構成となっている。
【００４８】
さて、上記第３の実施例の構成において、何らかの原因で、例えばねじが緩んでいたり、外れていたりして、接地部１１７が電子レンジの筐体から外れていた場合（不完全な接地状態の場合）について説明する。この場合、接地部１１７が筐体から外れていると、パネル部の制御回路１２２からの制御信号を送る信号ラインの片側が断線した状態となるから、インバータ電源の制御用信号が流れなくなる（遮断される）。このため、インバータ電源回路１０１が動作しなくなるから、筐体から外れた接地部１１７に高電圧が印加されることがなくなり、従って、上記外れた接地部１１７でスパークが発生することを防止できる。
【００４９】
また、上記第３の実施例においても、第１の実施例とほぼ同じ作用効果を得ることができる。即ち、陽極電流検出回路１１６の２本の導体パターン１１９ａ、１１９ｂのうちのいずれか一方が何らかの原因で断線した場合には、パネル部の制御回路１２２は、上記断線異常が発生したと判断すると共に、インバータ電源回路１０１の動作を停止させるので、導体パターン１１９ａ、１１９ｂの断線部分でスパークが発生することを確実に防止できる。
【００５０】
尚、導体パターン１１９ａ、１１９ｂの断線が発生する原因として、次のような事情がある。例えば、輸送時において、製品が落下したりすることに起因して、基板が割れたり、基板にクラックが入ったりすることにより、導体パターンが断線することがある。
【００５１】
また、上記第３の実施例においては、インバータ制御信号線１４３と陽極電流検出信号線１２１とからワイヤーハーネス１４７を構成したので、ワイヤーハーネス１４７を構成する信号線の本数を少なくすることができ、従来構成に比べて、製造コストを安くすることができる。さらに、インバータ制御信号線１４３接続用のコネクタ１４８、１４９と、陽極電流検出信号線１２１接続用のコネクタ１４８、１４９を共用するように構成したので、製造コストをより一層安くすることができる。
【００５２】
さて、上記第３の実施例では、４個の抵抗器１１８ａ〜１１８ｄを並列接続した並列回路からなる陽極電流検出回路１１６を設けたが、これに限られるものではなく、１個の抵抗器（即ち、マグネトロンの陽極電流を流す長い導体パターンが１本である構成）からなる陽極電流検出回路を設けるように構成しても良い。この構成の場合、導体パターンの断線を検出することはできないが、上記した接地部１１７の外れに起因するスパークの発生を防止することは可能であり、十分有効な効果を得ることができる。また、カレントトランスからなる陽極電流検出回路を設けるように構成しても良く、同様の効果を得ることができる。
【００５３】
更に、第３の実施例は、第１の実施例の構成に対して、接地部１１７が外れたときにインバータ電源回路１０１の制御用信号を遮断するための構成を付加した構成であるが、これに代えて、第２の実施例の構成に対して、接地部１１７が外れたときにインバータ電源回路１０１の制御用信号を遮断するための構成（第３の実施例参照）を付加した構成としても良い。この構成の場合も、第２及び第３の実施例とほぼ同じ作用効果を得ることができる。また、この構成において、４個の抵抗器１１８ａ〜１１８ｄからなる陽極電流検出回路１１６の代わりに、１個の抵抗器からなる陽極電流検出回路を設けるように構成しても良いし、更に、カレントトランスからなる陽極電流検出回路を設けるように構成しても良い。
【００５４】
また、上記各実施例では、本発明を、レンジ調理機能だけを有する電子レンジに適用したが、これに限られるものではなく、レンジ調理機能及びオーブン調理機能（グリル調理機能）を有するヒータ付き電子レンジに適用しても良い。
【００５５】
【発明の効果】
本発明は、以上の説明から明らかなように、電流検出手段を複数の素子の並列回路で構成し、電流検出手段の並列回路の２つの導体パターンのうちのいずれか一方が断線したときに異常であると判断する異常判断手段を備え、この異常判断手段により異常であると判断されたときにインバータ電源の動作を停止させるように制御する第２の制御手段を備えるように構成したので、倍電圧整流回路の一方の出力端子と接地部とを接続する導体パターンが断線することがあっても、断線した部分でスパークが発生することを確実に防止できるという優れた効果を奏する。
【図面の簡単な説明】
【図１】本発明の第１の実施例を示す電気回路図
【図２】本発明の第２の実施例を示す電気回路図
【図３】本発明の第３の実施例を示す電気回路図
【図４】従来構成を示す電気回路図
【符号の説明】
１０１はインバータ電源回路、１０３はマグネトロン、１０７はスイッチング素子、１０８は共振コンデンサ、１０９は高圧トランス、１０９ａは１次巻線、１０９ｂ、１０９ｃは２次巻線、１１０は倍電圧整流回路、１１１はインバータ制御回路、１１２はプリント配線基板、１１３は高圧ダイオード、１１４は高圧コンデンサ、１１５は高圧ダイオード、１１６は陽極電流検出回路（電流検出手段）、１１７は接地部、１１８ａ、１１８ｂ、１１８ｃ、１１８ｄは抵抗器、１１９ａ、１１９ｂは導体パターン、１２０は導体パターン、１２１は陽極電流検出信号線、１２２は制御回路（第１の制御手段、異常判断手段、第２の制御手段）、１２３ａ、１２３ｂはインバータ制御信号線、１２４ａ、１２４ｂは導体パターン、１２５はワイヤーハーネス、１２６はコネクタ、１２７はプリント配線基板、１２８はコネクタ、１２９、１３０はスイッチング素子、１３１は全波倍電圧整流回路、１３２、１３３は共振コンデンサ、１３４はスイッチング回路、１３４ａ、１３４ｂは並列接続点、１３４ｃ、１３４ｄは直列接続点、１３５、１３６は高圧ダイオード、１３７、１３８は高圧コンデンサ、１３９はマイクロコンピュータ、１４０はトランジスタ、１４１はフォトカプラ、１４２は導体パターン、１４３はインバータ制御信号線、１４４は導体パターン、１４５は導体パターン、１４６は接地線、１４７はワイヤーハーネス、１４８、１４９はコネクタを示す。
【図１】
0003677174.tif 000002
【図２】
0003677174.tif 000003
【図３】
0003677174.tif 000004
【図４】
0003677174.tif 000005